(57)【要約】【課題】従来のセッコウボードは、特に可燃性のクラフト紙を表層材として一体化されたものであるが、強度も弱く、耐火グレードも低く欠点がある。また、セッコウプラスターは施工の手間がかかり、コストが高いという欠点がある。本発明は、これら従来物の欠点を除去して、新規性，進歩性を具備し、強度が強く、耐火性も大なるセッコウを用いた建築用壁体ないしパネル材及びその製造方法を創始提供することを課題とする。【解決手段】合成樹脂材や木質材料など可燃性の建築材料を表層とした壁体パネル材に中空洞部を設け、空洞部に多量の結晶水をもったセッコウモルタルを注入充填して耐熱性を向上させる方法、及び空洞部に注入するセッコウモルタルに調湿機能をもたせたり、金網等を挟んで電磁波シールド効果をもったものとする建築用壁体及びパネル材の製造方法を新規に開発することによって解決した。【選択図】      図１
2004300702.tif 000002
【特許請求の範囲】
【請求項１】
不燃性及び／又は難燃性及び／又は可燃性の表層材料により囲まれて製作されると共に開口部を有する中空押出し板状体又は壁体構成の空洞部分に水硬性セッコウモルタル又は必要に応じ繊維質補強材料，起泡剤，導電性を有する電磁波吸収材料，調湿性材料，脱臭剤のうちより選ばれた１以上の材料を性能向上補助材として前記水硬性セッコウモルタルに混入したものを注入充填し、硬化させてあることを特徴とするセッコウを用いた建築用壁体ないしパネル材。
【請求項２】
表層材料が、難燃性又は可燃性の合成樹脂から成る中空押出し製品の空洞部分に水硬性セッコウモルタルを注入充填することを特徴とするセッコウを用いた建築用壁体ないしパネル材の製造方法。
【請求項３】
表層材料が、可燃性の木質合板であり、表面及び裏面の間に所望の空洞を設けて組み立てられた壁体構成の空洞部分に水硬性セッコウモルタルを注入充填することを特徴とするセッコウを用いた建築用壁体ないしパネル材の製造方法。
【請求項４】
表層材料が、ボード，珪酸カルシウム板，金属板のうちより選ばれた材料であり、表面及び裏面の間に所望の空洞を設けて組み立てられた壁体構成の空洞部に、水硬性セッコウモルタルを注入充填することを特徴とするセッコウを用いた建築用壁体ないしパネル材の製造方法。
【請求項５】
前記セッコウモルタルは、セッコウ単体又は繊維質補強材料が含まれたものに起泡剤を加えて多量の気泡を含有させたものである請求項２ないし４のいずれかに記載のセッコウを用いた建築用壁体ないしパネル材の製造方法。
【請求項６】
前記セッコウモルタルには金属粉・金属繊維・炭素粉のうちより選ばれた１以上の材料であって導電性を有し電磁波吸収性を有する材料が混合されているものである請求項２乃至４のいずれかに記載のセッコウを用いた建築用壁体ないしパネル材の製造方法。
【請求項７】
表層材料に多数の通気孔が開けられたものを使用し、空洞を設けて組み立てられた空洞部にセッコウを主原料とし、ＡＬＣ粉末・木炭を加えて調湿性及び脱臭性機能を有するセッコウモルタルを注入充填することを特徴とするセッコウを用いた建築用壁体ないしパネル材の製造方法。
【請求項８】
表層材料によって構成される空洞部に金属・金網を組み込んで構成された空洞部にセッコウモルタルを注入充填することを特徴とするセッコウを用いた建築用壁体及びパネル材の製造方法。
【発明の詳細な説明】
【０００１】
【発明の属する技術分野】
本発明は、セッコウボード、排煙脱硫セッコウなどのリサイクル資源のセッコウを用いて不燃性、難燃性、可燃性建築材料と一体化して耐火性能を向上させると共に、調湿・脱臭・電磁波シールド効果など機能を附与し性能を向上させ、新規な構造としたセッコウを用いた建築用壁体ないしパネル材及びその製造方法に関するものである。
【０００２】
【従来の技術】
可燃性のクラフト紙を表層材として一体化されたセッコウボードは不燃材として広く使用されている。この材料は厚さによって耐火グレードが変り、厚くする程耐火性は高いものであるが製造条件や経済性の面から２０ｍｍ以上の厚物は一般品として市場には殆ど出ていない。セッコウは急結性の水硬性材料であり、古来よりセッコウプラスターとして塗かべ施工に使う場合は、凝結遅延剤などを入れて数日間で硬化させる様に調整して使用されてきた。又、セッコウ硬化体は硬度が低く、破壊強度も弱いものであり、これらの欠点を改良したセッコウボードの構成は従来も優れた製品として認められている。
【０００３】
【発明が解決しようとする課題】
しかしながら、従来のセッコウプラスターは、施工の手間が非常にかかり、建物の壁としては、やはりコストが高いという欠点がある。また、セッコウボードは、内装用としては、通常に使用できるが、外装用としては、そのままでは、強度も弱く、不適の場合が多いなどの問題点がある。本発明は、これら従来技術の欠点を除去し、更に進歩した複合材料としてのセッコウ使用の建築用壁体ないしパネル材を、而も安価に供給することを課題とするものである。
【０００４】
【課題を解決するための手段】
本発明は、上記の課題を解決するため、以下の各手段を創出した。即ち、本発明では、セッコウボードの様な内装用のボードとしての目的ではなく、セッコウ硬化体の特徴である多量の結晶水を含んでいる水和物として可燃性材料のみでなく表層材料の構成する壁体空間に充填して一体化したものであり、壁体構成の表層材料を施工し組み立てした後に空洞部に充填して硬化させる方法であり、従来技術においては見当たらない新規なものであり、かつその構造上、製法上において進歩性を有するものである。
【０００５】
本発明の第１の特徴は、不燃性及び／又は難燃性及び／又は可燃性の表層材料により囲まれて製作されると共に開口部を有する中空押出し板状体又は壁体構成の空洞部分に水硬性セッコウモルタル又は必要に応じ繊維質補強材料，超泡剤，導電性を有する電磁波吸収材料，調湿性材料，脱臭剤のうちより選ばれた１以上の材料を性能向上補助材として前記水硬性セッコウモルタルに混入したものを注入充填し、硬化させてあるセッコウを用いた建築用壁体ないしパネル材であることである。
【０００６】
第２の特徴は、可燃性の材質である為に制約されている建築材料に加熱時結晶水の放出による消化機能を併せて不燃性グレードに耐熱性を向上した壁体ないしはパネル材とすることである。
【０００７】
第３の特徴は、表層材との間に構成される空洞部に充填するセッコウモルタルに、断熱性・防音性・調湿性・脱臭性及び電磁波シールド性を与えたものとすることである。これらの目的を達成する為に創出した具体的手段は次の通りである。  １）表層材によって構成された躯体の空洞部に充填するにはモルタルポンプによって行われる為、急結性であるセッコウモルタル加水物は少なくとも２時間以上のオープンタイムを持つように凝結時間を遅らせた組成物であること。
２）請求項６に示す金属粉など、比重の重い材料が入ったセッコウモルタルは注入充填時、分離しないように粘性を高める添加剤を加える必要がある。
【０００８】
更に上記の解決手段；構成について詳細に説明する。
１）セッコウモルタルの急結性を改善する為の遅延剤には、ふのり・でんぷんなど有機質物が有効であるが、本発明のように建築材料として長期耐用するものには好ましくない。その他の無機質材料にはリン酸ソーダやクエン酸などもあるが、コストの面では好ましくない。本発明者等は既にセッコウボードのリサイクル技術として「特願２００２−８２４５２」に於いて遠赤外線放射下に於けるセッコウの製造方法を出願し、量産体制にあるが、この焼成方法によって得られセッコウは焼成条件をコントロールすることにより、半水セッコウと  型無水セッコウの比率を自由に調整出来る事を発見した。これらのセッコウは硬化時間を２時間以上の条件で使用出来る好適のものであった。
２）請求項６のように比重の重い金属粉が混合された時、あるいは請求項１のように多量の気泡を含むものは重合度１００，０００以上のポリエチレンオキサイドを０．５〜１．０％加える事により粘調なペースト状となり、泡の安定、又は金属粉の分離防止を可能にすることが出来た。
３）空洞部に充填するセッコウモルタルに調湿性・脱臭性などの機能をつける方法は発明者等による「特願２００１−２４０４３６」、「特願２００１−２１１６０４」による発明技術を用いる。
４）空洞部に充填するセッコウモルタルの電磁波シールド特性は発明者による「特願２００１−２１１６０４」により造られる高周波電波吸収材料を粉末として混和する。又金網を挟み込む。
【０００９】
【発明の実施の形態】
本発明の実施の形態には
１）予め、中空洞を持って成形されたパネル材の中空部にセッコウモルタルをポンプを用いて注入充填し硬化させて、セッコウ充填パネルとして建築部材の壁、又は床材として使用するもの。
２）建築工事現場に於いて予め躯体として中空状態で組み立てられたものに、セッコウモルタル調整設備を持ち込み、モルタル状として空洞部に注入し充填して硬化させるもの。
以上の２つの製造方法が取られる。
【００１０】
（実施例１）
図１は合成樹脂材料で中空押出し成形された中空押出し板状体２の空洞部３にセッコウモルタル４を注入充填して構成される建築用壁体ないしパネル材１を示す。この中空押出し板状体２としては、例えば、ポリプロピレン樹脂製の「ダンブラエース」が挙げられる。このものは可燃性であって耐火性能を有しないがセッコウを充填することにより表面からガスバーナで表面加熱を行った結果、バーナトーチの焔の接触部が溶融するまで僅かに発煙したが、溶融してセッコウモルタルの部分が露出するとセッコウから多量の水蒸気が放出され、消焔して裏面材のみ発泡状態となったが全体は変形しなかった。一方、セッコウを充填しないものは５分間で発火し変形溶融した。
【００１１】
（実施例２）
図２は別の建築用壁体ないしパネル材１ａを示すものである。このものは多数の穴５を設けた穴開き表層材料６で囲まれた空洞部３にセッコウモルタル４を注入充填したものからなる。表層材料としては、例えば、珪カル板、合成樹脂板、金属板・合板等が用いられる。また、セッコウモルタル４としては調湿セッコウモルタルを一例として用いている。これにより、調湿及び脱臭性の向上が図れる。なお、調湿材料は湿度４０％ないし８０％のくり返しで平均３％（セッコウ重量に対する吸収性）の調湿機能を有するものであった。
【００１２】
図３は更に別の建築用壁体ないしパネル材１ｂを示す。このものは表層部材７で囲まれた空洞部３内に金属・金網８を介在させると共に表層部材７，７間にスペーサ材９を入れて補強し、この空洞部３内にセッコウモルタル４を注入充填したものからなる。これにより、電磁波シールド機能を有することができる。なお、金網等は現在独立した囲いとして使用しているがデザイン上好ましくない。しかし、本実施例ではセッコウモルタル４内に埋没させるため工事コストの低減とデザイン効果を挙げることができると共に、セッコウの吸収性も加えられたものとなる。
【００１３】
【発明の効果】
（１）表層材が可燃材で構成された場合、本発明によって製造された建築用壁体ないしパネル材は、セッコウを充填しない従来物に比べ、水和されたセッコウから水蒸気の放出が起るので、消焔し、耐火性を発揮するという新規な効果を奏する。
（２）中空押出し板状体の壁体ないしパネルの中空部に調湿性材料を混入したセッコウモルタルを充填したものは、室内が高湿度のときは、湿分を壁内に吸蔵し、低湿度のときは、湿分を室内に放出するので、適湿度が自動的に保たれ、建物に入居した人の健康を最高に維持するという理想的効果を有する。
（３）本発明では、電磁波吸収材を壁内に埋込むことができるので、従来のような、壁の外面に金網などを施工する場合に比べ、電波吸収、低コスト化と共に外壁の美しい外観を保つという大きな効果を保有するものである。
【図面の簡単な説明】
【図１】タンブラエースのような合成樹脂材料の空洞部にセッコウモルタルを投入充填してなる建築用壁体又はパネル材を示す部分斜視図。
【図２】穴開き表層材料により囲まれた空洞内に調湿セッコウモルタルを注入充填してなる建築用壁体又はパネル材を示す部分斜視図。
【図３】表層材料で囲まれた空洞部にセッコウモルタルを投入充填すると共に内部に金属・金網やスペーサ材を入れて保持強度を向上させた建築用壁体又はパネル材を示す部分斜視図。
【符号の説明】
１    建築用壁体ないしパネル材
１ａ  建築用壁体ないしパネル材
１ｂ  建築用壁体ないしパネル材
２    中空押出し板状体
３    空洞部
４    セッコウモルタル
５    穴
６    穴開き表層材料
７    表層材料
８    金属・金網
９    スペーサ材
【図１】
2004300702.tif 000003
【図２】
2004300702.tif 000004
【図３】
2004300702.tif 000005